【手続補正書】
【提出日】平成18年3月8日(2006.3.8)
【手続補正１】
【補正対象書類名】明細書
【補正対象項目名】発明の名称
【補正方法】変更
【補正の内容】
【発明の名称】タイムスロット割当方法及び装置並びに通信方法及び装置
【手続補正２】
【補正対象書類名】明細書
【補正対象項目名】特許請求の範囲
【補正方法】変更
【補正の内容】
【特許請求の範囲】
【請求項１】  時分割デュープレックス通信システムにおけるタイムスロット割当方法において、
情報を伝送するためのタイムフレームが所定数のタイムスロットからなるとともに、各タイムフレームは、１つの受信タイムスロットと１つの送信タイムスロットが隣接した固定ブロックを有し、伝送すべき情報量に応じて、上記受信タイムスロットに隣接した少なくとも１つのタイムスロットを受信タイムスロットとして割り当て、上記送信タイムスロットに隣接した少なくとも１つのタイムスロットを送信タイムスロットとして割り当てるステップを有するタイムスロット割当方法。
【請求項２】  上記新たに割り当てられる受信タイムスロットの数と送信タイムスロットの数は、互いに独立であることを特徴とする請求項１記載のタイムスロット割当方法。
【請求項３】  上記固定ブロックの１つの受信タイムスロットと１つの送信タイムスロットは、第１の通信装置に割り当てられ、当該送信タイムスロットは受信タイムスロットに先行していることを特徴とする請求項１記載のタイムスロット割当方法。
【請求項４】  上記新たに割り当てられたタイムスロットは、上記第１の通信装置に割り当てられることを特徴とする請求項３記載のタイムスロット割当方法。
【請求項５】  上記タイムフレームの１つは複数の通信装置に割り当てられ、上記新たに割り当てられたタイムスロットは、上記第１の通信装置以外の通信装置に割り当てられることを特徴とする請求項１乃至３のいずれか１項記載のタイムスロット割当方法。
【請求項６】  上記固定ブロックに新たに割り当てられたタイムスロットと該固定ブロックに続く固定ブロックに新たに割り当てられたタイムスロットは、互いに隣接し、ガード区間が、上記新たに割り当てられたタイムスロットの少なくとも１つの中に設けられることを特徴とする請求項１乃至５のいずれか１記載のタイムスロット割当方法。
【請求項７】  上記固定ブロックに新たに割り当てられたタイムスロットは、受信タイムスロットであり、上記後続の固定ブロックに新たに割り当てられたタイムスロットは、送信タイムスロットであり、上記ガード区間は、上記受信タイムスロットの最後に設けられることを特徴とする請求項６記載のタイムスロット割当方法。
【請求項８】  時分割デュープレックス通信システムにおけるタイムスロット割当装置において、
情報を伝送するためのタイムフレームが所定数のタイムスロットからなるとともに、各タイムフレームは、１つの受信タイムスロットと１つの送信タイムスロットが隣接した固定ブロックを有し、伝送すべき情報量に応じて、上記受信タイムスロットに隣接した少なくとも１つのタイムスロットを受信タイムスロットとして割り当て、上記送信タイムスロットに隣接した少なくとも１つのタイムスロットを送信タイムスロットとして割り当てる割当手段を備えるタイムスロット割当装置。
【請求項９】  上記新たに割り当てられる受信タイムスロットの数と送信タイムスロットの数は、互いに独立であることを特徴とする請求項８記載のタイムスロット割当装置。
【請求項１０】  上記固定ブロックの１つの受信タイムスロットと１つの送信タイムスロットは、第１の通信装置に割り当てられ、該送信タイムスロットは受信タイムスロットに先行していることを特徴とする請求項８又は９記載のタイムスロット割当装置。
【請求項１１】  上記新たに割り当てられたタイムスロットは、上記第１の通信装置に割り当てられることを特徴とする請求項１０記載のタイムスロット割当装置。
【請求項１２】  上記タイムフレームの１つは複数の通信装置に割り当てられ、上記新たに割り当てられたタイムスロットは、上記第１の通信装置以外の通信装置に割り当てられることを特徴とする請求項８乃至１０のいずれか１項記載のタイムスロット割当装置。
【請求項１３】  上記固定ブロックに新たに割り当てられたタイムスロットと該固定ブロックに続く固定ブロックに新たに割り当てられたタイムスロットは、互いに隣接し、上記ガード区間は、上記新たに割り当てられたタイムスロットの少なくとも１つの中に設けられることを特徴とする請求項８乃至１２のいずれか１記載のタイムスロット割当装置。
【請求項１４】  上記固定ブロックに新たに割り当てられたタイムスロットは、受信タイムスロットであり、上記後続の固定ブロックに割り当てられたタイムスロットは、送信タイムスロットであり、ガード区間が、上記受信タイムスロットの最後に設けられることを特徴とする請求項１３記載のタイムスロット割当装置。
【請求項１５】  時分割デュープレックス通信システムにおいて情報の送受信を行うための通信方法であって、
所定数のタイムスロットを備えた各タイムフレーム内に、複数の受信タイムスロットと複数の送信タイムスロットを割り当てると共に、当該スロット割当は、転送される情報量が変化した場合に、変更され、
転送される情報量に依存するタイムスロットを用いることにより前記情報を送信し、
更に、各タイムフレームは少なくとも互いに隣接する受信タイムスロットと送信タイムスロットを含むと共に、前記送信及び受信タイムスロットの少なくとも一方に設けられたガードピリオドを含む
ことを特徴とする通信方法。
【請求項１６】  所定数のタイムスロットを備え、所定のタイムフレーム内にて情報を送信する時分割デュープレックス通信システムにおいて情報の送受信を行うための通信装置であって、
転送される情報量に基づいて送信タイムスロット及び受信タイムスロットのタイムスロット割当を行う割り当て手段と、
転送される情報量を決定する決定手段と、
割り当て手段によるスロット割当は、転送される情報量が変化した場合に、変更され、
各タイムフレームは、互いに隣接する受信タイムスロットと送信タイムスロットを備え、更に、
隣接する前記送信及び受信タイムスロットの少なくとも一方にガードピリオドを設けるガードピリオド手段を備えることを特徴とする通信装置。
【請求項１７】  前記受信タイムスロット数と前記送信タイムスロット数は、互いに独立していることを特徴とする請求項１６に記載の通信装置。
【請求項１８】  前記隣接した送受信タイムスロットにおいては、前記受信タイムスロットが先行し、前記送信タイムスロットがこれに続くことを特徴とする請求項１６に記載の通信装置。
【請求項１９】  前記ガードピリオド手段は、前記受信タイムスロットの最後に前記ガードピリオドを設けることを特徴とする請求項１８に記載の通信装置。
【請求項２０】  時分割デュープレックス通信システムにおいて情報の送受信を行うための通信方法であって、
前記時分割デュープレックス通信システムによって送信される所定数のタイムスロット内にて情報が送信され、更に、前記所定数のタイムスロットは互いに隣接した１つの受信タイムスロットと、１つの送信タイムスロットからなる固定ブロックを含み、
（i）前記固定ブロックの受信タイムスロットに隣接し、少なくとも受信用に新たに割り当てられるタイムスロットと、（ii）前記固定ブロックの送信タイムスロットに隣接し、少なくとも送信用に新たに割り当てられるタイムスロットは、転送される情報量に基づいて決定され、
転送情報量が変化した場合に、スロットの割当が変更されることを特徴とする通信方法。
【請求項２１】  所定数のタイムスロットにより情報が送信され、更に、前記所定数のタイムスロットが互いに隣接する１つの受信タイムスロットと１つの送信タイムスロットからなる固定ブロックを備える時分割デュープレックス通信システムにおいて情報の送受信を行うための通信装置であって、
（i）前記固定ブロックの受信タイムスロットに隣接し、少なくとも受信用に新たに割り当てられるタイムスロットと、（ii）前記固定ブロックの送信タイムスロットに隣接し、少なくとも送信用に新たに割り当てられるタイムスロットを、転送される情報量に基づいて割り当てる割当手段と、
転送される情報量を決定する決定手段と、を備え、
転送される情報量が変化した場合に、スロット割当手段によりスロット割当が変更されることを特徴とする通信装置。
【請求項２２】  前記新たに加えられる受信タイムスロット及び送信タイムスロットの数は、互いに独立していることを特徴とする請求項２１に記載の通信装置。
【請求項２３】  前記新たに加えられるタイムスロットの少なくとも１つにガードピリオドを設ける前記ガードピリオド手段を更に備えることを特徴とする請求項２１に記載の通信装置。
【請求項２４】  前記ガードピリオド手段は、前記受信タイムスロットの最後に前記ガードピリオドを設けることを特徴とする請求項２１に記載の通信装置。
【請求項２５】  時分割デュープレックス通信システムにおいて所定のタイムスロットを有するタイムフレームを用いることにより情報の受信及び送信の少なくとも一方を行う通信装置であって、
複数の受信タイムスロット及び複数の送信タイムスロット内に所定のタイムスロットを割り当てる手段と、
転送された前記情報量に基づいてスロット割当を変更する手段と、
１つの前記受信タイムスロットと、該スロットに隣接し、且つ、これに続く前記送信タイムスロットの間にガードピリオドを設ける手段とを有することを特徴とする通信装置。
【請求項２６】  時分割デュープレックス通信システムにおいて所定のタイムスロットを有するタイムフレームを用いることにより情報の受信及び送信の少なくとも一方を行う通信方法であって、
複数の受信タイムスロット及び複数の送信タイムスロット内に所定のタイムスロットを割り当て、
転送された前記情報量に基づいてスロット割当を変更し、
１つの前記受信タイムスロットと、該スロットに隣接し、且つ、これに続く前記送信タイムスロットの間にガードピリオドを設けることを特徴とする通信方法。